(57)【要約】【課題】監視制御システムの端末を増設する場合に、その増設に伴う試験を確実かつ高い効率で行なうことができる試験装置を提供することにある。【解決手段】ＩＰネットワーク１１を介して、複数の端末（ＲＳ）１３とＩＧサーバ１０とが接続されて、監視対象の設備などの監視・制御を行なう監視制御システムにおいて、増設端末の使用に伴うＩＧサーバ１０の試験を、増設端末の動作を模擬する模擬端末２０を使用して行なう構成である。模擬端末２０は、ＩＧサーバ１０から試験処理に必要な情報を取得して、この情報に基づいて増設端末の動作を模擬する。施設中央局１２は、模擬端末２０の模擬処理に応じたＩＧサーバ１０の処理結果を受信することで、ＩＧサーバ１０の試験処理を実行する。【選択図】      図１
2010009450.tif 000002
【特許請求の範囲】
【請求項１】
ネットワークに接続し、監視対象の施設から監視データを収集して前記ネットワークに伝送する端末と、
前記端末から伝送される監視データに基づいて、前記施設の監視に必要な監視情報を生成するサーバとを有する監視制御システムに適用し、
増設端末を使用する場合の試験を行うときに、前記ネットワークに接続し、前記サーバから当該試験に必要な情報を取得する機能、及び前記サーバからの情報に基づいて増設端末の動作を模擬する機能を有する模擬端末を使用する構成の試験装置。
【請求項２】
前記サーバは、既存の端末及び前記増設端末から伝送される監視データに対応する監視項目及び試験用情報を含む情報を蓄積したデータベースを使用し、
前記模擬端末は、前記ネットワークを介して、前記データベースから前記既存の端末及び前記増設端末の全端末に対応する監視項目及び試験用情報を取得する構成であることを特徴とする請求項１に記載の試験装置。
【請求項３】
前記模擬端末の模擬処理に応じて前記サーバが実行する処理の処理結果を受信して、前記サーバの機能が正常であるか否かを判定する手段を有することを特徴とする請求項１又は請求項２のいずれか１項に記載の試験装置。
【請求項４】
前記模擬端末は、
前記ネットワークを介して、前記データベースから前記増設端末に対応する監視項目及び試験用情報を取得する構成であることを特徴とする請求項１に記載の試験装置。
【請求項５】
前記模擬端末は、前記増設端末の模擬処理を実行した後に、
前記模擬処理に応じて前記サーバが実行する処理の処理結果を前記ネットワークを介して受信し、
前記処理結果に基づいて、前記サーバの機能が正常であるか否かを判定するように構成されていることを特徴とする請求項１、２、４のいずれか１項に記載の試験装置。
【請求項６】
前記模擬端末は、
前記増設端末の伝送項目又は試験内容の各項目毎に前記模擬処理及び前記サーバの機能が正常であるか否かを判定する処理を順次実行し、全項目が終了するまで各処理を繰り返すように構成されていることを特徴とする請求項５に記載の試験装置。
【請求項７】
前記模擬端末は、
前記サーバの機能が正常であるか否かを判定する処理を実行し、この処理結果を前記サーバの試験結果として記憶する記憶手段と、
要求に応じて、前記記憶手段に記憶された前記試験結果を画面上に表示する手段と、
要求に応じて、前記記憶手段に記憶された前記試験結果をプリンタに出力する手段と
を有する構成であることを特徴とする請求項５又は請求項６のいずれか１項に記載の試験装置。
【請求項８】
ネットワークに接続し、監視対象の施設から監視データを収集して前記ネットワークに伝送する端末と、前記端末から伝送される監視データに基づいて、前記施設の監視に必要な監視情報を生成するサーバとを有する監視制御システムに適用する試験方法であって、
増設端末の動作を模擬する機能を有する模擬端末を前記ネットワークに接続する処理と、
前記模擬端末により前記サーバから当該試験に必要な情報を取得する処理と、
前記サーバからの情報に基づいて、前記模擬端末により増設端末の動作を模擬する処理と
を実行することを特徴とする試験方法。
【請求項９】
前記模擬端末の模擬処理に応じて前記サーバが実行する処理の処理結果を受信して、前記サーバの機能が正常であるか否かを判定する処理を実行することを特徴とする請求項８に記載の試験方法。
【請求項１０】
前記模擬端末の模擬処理を実行した後に、前記模擬処理に応じて前記サーバが実行する処理の処理結果を、前記模擬端末が受信する処理と、
前記模擬端末において、前記処理結果に基づいて前記サーバの機能が正常であるか否かを判定する処理と実行することを特徴とする請求項８に記載の試験方法。
【発明の詳細な説明】
【技術分野】
【０００１】
本発明は、遠隔地に配置されている設備などを監視する監視制御システムにおいて、特に端末の試験を自動的に行なう試験装置に関する。
【背景技術】
【０００２】
近年、遠隔地に配置されている施設の設備や機器を監視・制御する監視制御システムが普及している（例えば、特許文献１を参照）。代表的なシステムとして、例えば道路におけるインターチェンジやトンネルなどの設備を遠隔から監視・制御する監視制御システムがある。
【０００３】
監視制御システムは概略的には、監視対象である施設に配置されるリモートステーション（以下、ＲＳと表記する場合がある）と呼ぶ端末と、複数の端末を管理するサーバと、サーバからの情報に基づいて遠隔の施設の各設備を監視する施設中央局とから構成されている。
【特許文献１】特開２００２−１５７１７８号公報
【発明の開示】
【発明が解決しようとする課題】
【０００４】
監視制御システムでは、監視対象である施設や設備などの増設に応じて、端末（ＲＳ）を増設する場合がある。この増設される端末（増設ＲＳ）をシステムに接続して、監視・制御動作を行なう場合、サーバの構成（主としてソフトウェア関係）を改造することが要求される。このため、サーバの改造後に、システムの動作確認として、増設ＲＳを含めて実際に動作させることで、サーバが正常に動作することを試験している。
【０００５】
しかしながら、従来の試験方法では、作業者が、サーバの複数事象組合せ判定機能や複数事象集約機能などのインテリジェント機能の内容を書類から把握し、それに基づいてシステムを動作させているため、試験準備には相当の時間を要する。また、作業者が増設ＲＳを操作して試験を行なう場合などに、試験ミスが発生する可能性が高く、結果として試験効率の悪化を招いている。
【０００６】
そこで、本発明の目的は、監視制御システムの端末を増設する場合に、その増設に伴う試験を確実かつ高い効率で行なうことができる試験装置を提供することにある。
【課題を解決するための手段】
【０００７】
本発明の観点は、増設する端末の動作を模擬する模擬端末を使用して、監視制御システムのサーバから試験に必要な情報を取得して，サーバの動作を確認する試験を実行する構成の試験装置である。
【０００８】
本発明の観点に従った試験装置は、ネットワークに接続し、監視対象の施設から監視データを収集して前記ネットワークに伝送する端末と、前記端末から伝送される監視データに基づいて、前記施設の監視に必要な監視情報を生成するサーバとを有する監視制御システムに適用し、端末を増設して試験する場合に、前記ネットワークに接続し、前記サーバから試験に必要な情報を取得する機能、及び前記サーバからの情報に基づいて端末の動作を模擬する機能を有する模擬端末を使用する構成である。
【発明の効果】
【０００９】
本発明によれば、端末の増設に伴う試験を自動的に実行することが可能となり、試験時間の短縮化と試験ミスの減少を図り、試験を確実かつ高い効率で行なうことができる試験装置を提供することができる。
【発明を実施するための最良の形態】
【００１０】
以下図面を参照して、本発明の各実施形態を説明する。
【００１１】
［システムの構成］
図１は、各実施形態に関する監視制御システムの要部を示すブロック図である。
【００１２】
本システムは、例えば道路におけるインターチェンジやトンネルなどの施設に設けられた設備や機器の監視・制御を行なうための遠隔監視制御システムであり、監視対象である施設に配置される複数のリモートステーション（端末又はＲＳと表記する場合がある）１３と、サーバ１０と、ＩＰネットワーク１１と、施設中央局１２とから構成されている。
【００１３】
各端末（ＲＳ）１３はそれぞれ、施設の管理事務所などから遠方にある施設に配置されて、施設の電源設備や照明設備の動作状態や故障を監視する。通常では、各端末１３は、設備や機器からの監視信号（例えばリレーなどの接点信号）を入力して、動作状態や故障検出を示す監視データに変換する。各端末１３は、監視データをＩＰネットワーク１１を介してサーバ１０に伝送するデータ入出力用インターフェースに相当する装置である。なお、各端末１３は、複数の入出力基板が交換可能にセットされており、各入出力基板が監視信号の項目に対応するアドレスを割り当てられている。
【００１４】
サーバ１０は、施設の保守管理を行なう管理事務所などに設置されており、ＩＰネットワーク１１を介して各端末１３と接続し、各端末１３を一括管理するインテリジェントサーバ（以下、ＩＧサーバと表記する場合がある）である。ＩＧサーバ１０は、各端末１３を一括管理する処理、監視・制御処理及び後述する端末の増設に伴う試験処理に必要な情報を蓄積したデータベース（ＤＢ）１００、及びそれらの処理をＣＰＵで実行するためのプログラム１１０を含む。また、ＩＧサーバ１０は、複数事象の組合せ判定機能や複数事象の集約機能などのインテリジェント機能を含む。
【００１５】
データベース１００には、例えば１５０程度の端末（ＲＳ）１３を管理する情報が蓄積されている。サーバ１０は、各端末１３から伝送された監視データを処理し、監視対象である施設の設備や機器の監視・制御に必要な監視情報を生成し、ＩＰネットワーク１１を介して施設中央局１２に伝送する。
【００１６】
具体的には、サーバ１０は、各ＲＳからの監視データに基づいて、例えばトンネルの停電などの故障を検知すると、その旨を示す情報をＩＰネットワーク１１を介して施設中央局１２に伝送する。施設中央局１２は、サーバ１０から伝送された監視情報に基づいて、監視対象である施設に設置された設備や機器の動作状態や故障発生を監視する。
【００１７】
監視制御システムは、ＩＰネットワーク１１を介して、各端末１３とサーバ１０間、及びサーバ１０と施設中央局１２間で情報を交換することにより、遠隔の道路関係の施設を監視している。
【００１８】
［第１の実施形態］
以下、図１と共に図２から図４を参照して、第１の実施形態の試験方法を説明する。
【００１９】
図１に示す監視制御システムでは、端末（ＲＳ）１３を増設する場合、その増設端末（増設ＲＳ）の接続に伴って、データベース１００の情報を更新するなどのＩＧサーバ１０の改造が行なわれる。このため、端末１３の増設に伴って、ＩＧサーバ１０が正常に動作するか否かを試験する必要がある。
【００２０】
本実施形態は、図１に示すように、ＩＧサーバ１０の改造後に、システムには増設ＲＳの代わりに模擬端末２０を接続して、この模擬端末２０によりＩＧサーバ１０の試験を行なう試験方法である。以下、図２から図４を参照して、試験方法の手順を説明する。
【００２１】
まず、模擬端末２０はパーソナルコンピュータからなり、増設ＲＳの動作を模擬（シミュレート）する機能を有する。即ち、模擬端末２０は、増設ＲＳの監視対象である設備や機器からの監視信号を入力して、動作状態や故障検出を示す監視データを生成する。増設ＲＳは、例えば高速道路の料金所に設置されたＥＴＣ設備を監視する端末である。
【００２２】
図２に示すように、模擬端末２０は、ＩＰネットワーク１１を介してシステムに接続した後に、ＩＧサーバ１０に対して、データベース１００に格納されている増設ＲＳを含む全ＲＳの伝送項目（監視データの項目）や試験内容に関する情報の伝送を要求する（手順２００）。ＩＧサーバ１０は、データベース１００から要求された情報を検索し、ＩＰネットワーク１１を介して模擬端末２０に伝送する（手順２１０）。模擬端末２０は、サーバ１０から受信した情報を解析して、増設ＲＳの伝送項目や試験内容を画面上に一覧表示する。試験を行なう作業者は、模擬端末２０の画面上に一覧表示された増設ＲＳの伝送項目や試験内容を確認できる。作業者は、模擬端末２０を操作して試験処理を開始する。
【００２３】
図３に示すように、模擬端末２０は、画面上に一覧表示された伝送項目や試験内容に従って、増設ＲＳの動作を模擬（シミュレート）する。即ち、模擬端末２０は、増設ＲＳが送信すべき監視データをＩＰネットワーク１１を介してＩＧサーバ１０に伝送する（手順２２０）。この場合、模擬端末２０は、ＩＧサーバ１０との情報授受や、そのタイミングも含めて増設ＲＳの動作を模擬する。
【００２４】
ＩＧサーバ１０は、実際の増設ＲＳが接続されているものとして、模擬端末２０からの監視データに基づいて監視・制御処理を実行する。即ち、ＩＧサーバ１０は、データベース１００に格納されている増設ＲＳの伝送項目に基づいて、増設ＲＳからの監視データを処理した処理結果（生成した監視情報）を、ＩＰネットワーク１１を介して施設中央局１２に伝送する（手順１２０）。施設中央局１２は、ＩＧサーバ１０から伝送された処理結果に基づいて、増設ＲＳの接続に伴う動作として、ＩＧサーバ１０が正常に機能しているか否かを判定する処理を実行する。
【００２５】
図４は、模擬端末２０を使用したＩＧサーバ１０の試験処理後に、実際に増設端末（増設ＲＳ）３０をシステムに接続して、システムの運用開始を行なう場合の概念図である。即ち、増設ＲＳ３０は、監視対象である例えばＥＴＣ設備からの監視信号を監視データに変換し、ＩＰネットワーク１１を介してＩＧサーバ１０に伝送する（手順３００）。ＩＧサーバ１０は、増設ＲＳ３０からの監視データに基づいて監視・制御処理を実行する。
【００２６】
即ち、ＩＧサーバ１０は、データベース１００に格納されている増設ＲＳ３０の伝送項目に基づいて、監視データを処理した処理結果（生成した監視情報）をＩＰネットワーク１１を介して施設中央局１２に伝送する（手順１２０）。施設中央局１２は、ＩＧサーバ１０からの処理結果である監視情報に基づいて、例えば増設ＲＳ３０が設置されたＥＴＣ設備の故障内容などを確認する。
【００２７】
以上のようにして、システムに対して増設端末（増設ＲＳ）３０を接続する前に、模擬端末２０をシステムに接続して、増設ＲＳの動作を模擬（シミュレート）させることにより、増設に伴うＩＧサーバ１０の改造後の試験を自動的に行なうことができる。従って、作業者がマニュアルで試験を行なう場合と比較して、大幅に試験時間を短縮化することが可能となる。また、模擬端末２０はパーソナルコンピュータであり、一連の試験処理の手順を確実に実行するため、試験ミスが発生する可能性を低減することができる。従って、結果として、増設端末の増設に伴うＩＧサーバの試験処理の効率を向上させることができる。
【００２８】
なお、模擬端末２０を使用して、ＩＧサーバ１０の試験だけでなく、増設ＲＳによる設備や機器の監視処理をシミュレートすることにより、監視制御システムのシミュレーションを実現することができる。
【００２９】
［第２の実施形態］
図５は、第２の実施形態の試験方法を説明するための概念図である。なお、監視制御システムの構成は図１に示す構成と同様であり、詳細な説明を省略する。
【００３０】
本実施形態の方法では、図５に示すように、模擬端末２０は、ＩＰネットワーク１１を介してシステムに接続した後に、ＩＧサーバ１０に対して、データベース１００に格納されている増設ＲＳに対応する伝送項目（監視データの項目）や試験内容に関する情報の伝送を要求する（手順２３０）。ＩＧサーバ１０は、データベース１００から要求された増設ＲＳに対応する情報を検索し、ＩＰネットワーク１１を介して模擬端末２０に伝送する（手順２４０）。
【００３１】
模擬端末２０は、サーバ１０から受信した増設ＲＳの伝送項目や試験内容を画面上に一覧表示する。試験を行なう作業者は、模擬端末２０の画面上に一覧表示された増設ＲＳの伝送項目や試験内容を確認できる。作業者は、模擬端末２０を操作して試験処理を開始する。模擬端末２０は、画面上に一覧表示された伝送項目や試験内容に従って、増設ＲＳの動作を模擬（シミュレート）する。ＩＧサーバ１０は、実際の増設ＲＳが接続されているものとして、模擬端末２０からの監視データに基づいて監視・制御処理を実行し、監視データを処理した処理結果を、ＩＰネットワーク１１を介して施設中央局１２に伝送する。施設中央局１２は、ＩＧサーバ１０から伝送された処理結果に基づいて、増設ＲＳの接続に伴う動作として、ＩＧサーバ１０が正常に機能しているか否かを判定する処理を実行する。
【００３２】
以上のように本実施形態の試験方法は、模擬端末２０は、サーバ１０から増設ＲＳの伝送項目や試験内容の情報のみを取得する。第１の本実施形態では、模擬端末２０は、サーバ１０から増設ＲＳを含む全ＲＳに対応する情報を取得する。全ＲＳの台数が多い場合、データベース１００の情報量は大容量となるため、模擬端末２０がサーバ１０から情報を取得するための時間が長時間となる。また、取得する情報量が、模擬端末２０の記憶容量を超える可能性もある。そこで、本実施形態の方法であれば、増設ＲＳの伝送項目や試験内容の情報、必要最小限の情報のみを取得するため、前期の問題を解消することができる。
【００３３】
なお、本実施形態の方法においても、前述したように第１の実施形態の場合と同様に、監視制御システムにおいて、増設端末の増設に伴うＩＧサーバの試験処理の効率を向上させることができる。
【００３４】
［第３の実施形態］
図６は、第３の実施形態の試験方法を説明するための概念図である。なお、監視制御システムの構成は図１に示す構成と同様であり、詳細な説明を省略する。
【００３５】
本実施形態の方法では、図６に示すように、試験処理時に、施設中央局１２はシステムから切断されている状態（６０）を想定する。ＩＧサーバ１０は、処理結果をＩＰネットワーク１１を介して施設中央局１２ではなく、模擬端末２０に伝送する。模擬端末２０は、施設中央局１２に含まれているＩＧサーバ１０の判定機能、即ちＩＧサーバ１０から伝送された処理結果に基づいて、増設ＲＳの接続に従って、ＩＧサーバ１０が正常に機能しているか否かを判定する機能を有する。以下、図８のフローチャートを参照して、本実施形態の試験方法の手順を具体的に説明する。
【００３６】
まず、ＩＧサーバ１０と施設中央局１２とは接続を切断し、ＩＧサーバ１０と模擬端末２０とが接続される（ステップＳ１）。模擬端末２０は、ＩＰネットワーク１１を介してシステムに接続した後に、ＩＧサーバ１０に対して、データベース１００に格納されている増設ＲＳを含む全ＲＳまたは増設ＲＳのみの伝送項目や試験内容に関する情報の伝送を要求する。ＩＧサーバ１０は、データベース１００から要求された情報を検索し、ＩＰネットワーク１１を介して模擬端末２０に伝送する。
【００３７】
模擬端末２０は、サーバ１０から受信した情報を解析して、増設ＲＳの伝送項目や試験内容を画面上に一覧表示し、これらの伝送項目や試験内容に従って、増設ＲＳの動作を模擬（シミュレート）する（ステップＳ２）。即ち、模擬端末２０は、増設ＲＳが送信すべき監視データをＩＰネットワーク１１を介してＩＧサーバ１０に伝送する（手順２２０）。
【００３８】
ＩＧサーバ１０は、実際の増設ＲＳが接続されているものとして、模擬端末２０からの監視データに基づいて監視・制御処理を実行する。ＩＧサーバ１０は、監視データを処理した処理結果（生成した監視情報）を、ＩＰネットワーク１１を介して送信する（ステップＳ３）。この場合、ＩＧサーバ１０は、図６に示すように、処理結果を施設中央局１２ではなく、模擬端末２０に伝送する（手順２５０）。但し、ＩＧサーバ１０は、処理結果を施設中央局１２に伝送している場合と同様の動作を実行する。
【００３９】
模擬端末２０は、ＩＧサーバ１０から伝送された処理結果を受信する（ステップＳ４）。さらに、模擬端末２０は、ＩＧサーバ１０から受信した処理結果に基づいて、増設ＲＳの接続に伴う動作として、ＩＧサーバ１０が正常に機能しているか否かを判定する処理を実行する（ステップＳ５）。即ち、模擬端末２０は、施設中央局１２で実行するＩＧサーバ１０の判定機能（確認機能）を模擬する機能を有する。
【００４０】
以上のように本実施形態の試験方法は、模擬端末２０が、施設中央局１２に代わって、ＩＧサーバ１０からの処理結果を受信して、ＩＧサーバ１０が正常に機能しているか否か確認する。通常では、システムの試験処理には、模擬端末２０側と施設中央局１２側のそれぞれに試験作業員が必要となる。即ち、最低２人の試験作業員が必要である。
【００４１】
これに対して、本実施形態の試験方法であれば、試験処理時に、システムから施設中央局１２を切り離すことができるため、施設中央局１２側の試験作業員は不要となる。従って、模擬端末２０において施設中央局１２の動作を模擬することにより、模擬端末２０側の最低１人の試験作業員により、ＩＧサーバ１０が正常に機能しているか否かの確認を行なうことができる。
【００４２】
これにより、本実施形態の試験方法であれば、前述したように第１の実施形態の場合と同様に増設端末の増設に伴うＩＧサーバの試験処理の効率を向上させることができると共に、施設中央局１２側の試験作業員を削減できる効果もある。
【００４３】
［第４の実施形態］
図７は、第４の実施形態の試験方法を説明するための概念図である。なお、監視制御システムの構成は図１に示す構成と同様であり、詳細な説明を省略する。
【００４４】
前述の第３の実施形態の試験方法は、増設ＲＳの伝送項目または試験内容の１項目毎に、試験作業員が模擬端末２０の操作と、模擬端末２０の判定処理に基づいて試験結果の確認を行なう。これに対して、本実施形態の試験方法は、増設ＲＳの伝送項目または試験内容の全項目について順次実行し、全項目が終了するまで繰り返し行なう方法である。以下、以下、図９のフローチャートを参照して、本実施形態の試験方法の手順を具体的に説明する。
【００４５】
まず、ＩＧサーバ１０と施設中央局１２とは接続を切断し、ＩＧサーバ１０と模擬端末２０とが接続される（ステップＳ１１）。模擬端末２０は、ＩＰネットワーク１１を介してシステムに接続した後に、ＩＧサーバ１０に対して、データベース１００に格納されている増設ＲＳを含む全ＲＳまたは増設ＲＳのみの伝送項目や試験内容の中で、１項目目（Ｎ＝１）の情報の伝送を要求する（ステップＳ１２）。ＩＧサーバ１０は、データベース１００から要求された情報を検索し、ＩＰネットワーク１１を介して模擬端末２０に伝送する。
【００４６】
次に、模擬端末２０は、サーバ１０から受信した情報を解析して、増設ＲＳの伝送項目や試験内容を画面上に一覧表示し、１項目目の伝送項目や試験内容に従って、増設ＲＳの動作を模擬（シミュレート）する（ステップＳ１３）。即ち、模擬端末２０は、増設ＲＳが送信すべき監視データをＩＰネットワーク１１を介してＩＧサーバ１０に伝送する（手順２２０）。
【００４７】
ＩＧサーバ１０は、実際の増設ＲＳが接続されているものとして、模擬端末２０からの監視データに基づいて監視・制御処理を実行する。ＩＧサーバ１０は、監視データを処理した処理結果を、ＩＰネットワーク１１を介して送信する。この場合、ＩＧサーバ１０は、図６に示すように、処理結果を施設中央局１２ではなく、模擬端末２０に伝送する（手順２５０）。模擬端末２０は、ＩＧサーバ１０から伝送された処理結果を受信し、この処理結果に基づいて、増設ＲＳの接続に伴う１項目目の動作として、ＩＧサーバ１０が正常に機能しているか否かを判定する処理を実行する（ステップＳ１４）。
【００４８】
次に、模擬端末２０は、増設ＲＳの伝送項目や試験内容の中で、２項目目（Ｎ＝Ｎ＋１）の情報の伝送を要求し、増設ＲＳの動作を模擬（シミュレート）する処理と、ＩＧサーバ１０が正常に機能しているか否かを判定する処理を実行する（ステップＳ１５，Ｓ１６のＮＯ）。即ち、模擬端末２０は、増設ＲＳの伝送項目や試験内容の全項目に対する各処理が終了するまで、各項目毎の処理を繰り返す（ステップＳ１６のＹＥＳ）。
【００４９】
以上のように本実施形態は、増設ＲＳの伝送項目や試験内容の各項目毎に、増設ＲＳの動作模擬とＩＧサーバ１０の判定処理（確認処理）を順次実行し、全項目について各処理が終了するまで自動的に処理を繰り返す。従って、試験作業員は模擬端末２０に対して試験の開始操作を行なうだけで、増設ＲＳの伝送項目や試験内容の全項目に対する試験を自動的に行なうことができる。これにより、試験作業員の作業負担を大幅に軽減できると共に、増設端末の増設に伴うＩＧサーバの試験処理の効率を向上させることができる
［第５の実施形態］
前述の第３及び第４の実施形態では、模擬端末２０は、施設中央局１２で実行するＩＧサーバ１０の判定機能（確認機能）を模擬することにより、施設中央局１２に代わって試験結果を出力する。本実施形態は、模擬端末２０は、試験結果を内部の記憶装置に記録し、試験作業員の操作に応じて画面上に試験結果を表示出力し、かつプリンタに印刷出力する機能を有する。このような構成により、試験作業員は、模擬端末２０を操作することにより、自動試験終了後に、ＩＧサーバ１０の試験結果を確認し、検証試験の良否を判断することができる。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本発明の各実施形態に関する監視制御システムの要部を示すブロック図。
【図２】第１の実施形態に関する試験方法の手順を説明するためのブロック図。
【図３】第１の実施形態に関する試験方法の手順を説明するためのブロック図。
【図４】第１の実施形態に関する運用開始の手順を説明するためのブロック図。
【図５】第２実施形態に関する試験方法の手順を説明するためのブロック図。
【図６】第３実施形態に関する試験方法の手順を説明するためのブロック図。
【図７】第４の実施形態に関する試験方法の手順を説明するためのブロック図。
【図８】第３実施形態に関する試験方法の手順を説明するためのフローチャート。
【図９】第４実施形態に関する試験方法の手順を説明するためのフローチャート。
【符号の説明】
【００５２】
１０…ＩＧサーバ、１１…ＩＰネットワーク、１２…施設中央局、
１３…リモートステーション（端末又はＲＳ）、２０…模擬端末、
３０…増設端末（増設ＲＳ）、１００…データベース。
【図１】
2010009450.tif 000003
【図２】
2010009450.tif 000004
【図３】
2010009450.tif 000005
【図４】
2010009450.tif 000006
【図５】
2010009450.tif 000007
【図６】
2010009450.tif 000008
【図７】
2010009450.tif 000009
【図８】
2010009450.tif 000010
【図９】
2010009450.tif 000011